(57)【要約】【課題】尻漏れが生じにくく、また、注出される収容液が広がらず、狙った注出先に注ぎ入れることができる使い勝手の良い鍋を提供することを目的とする。【解決手段】鍋本体１に設けられる注口部２が、鍋本体１の上縁部から外側に向かって突出する注口先端部３と、この注口先端部３及び鍋本体１と連設され鍋本体１を傾けることでこの鍋本体１に収容される収容液を注口先端片部３へ誘導する注口誘導部４とで構成され、注口先端部３は、基端部側に注口誘導部４を介して誘導された収容液をこの注口先端部３の中央部寄りに誘導集約する収容液誘導集約湾曲部５が設けられ、先端部側に収容液誘導集約部５により注口先端部３の中央部寄りに集約される収容液を上向き注出付勢する収容液上向き付勢湾曲部６が設けられる構成とされる鍋。【選択図】図１
2019047862.tif 000002
【特許請求の範囲】
【請求項１】
鍋本体の上縁部にこの上縁部が外側に押し出し成形されてなる注口部が設けられる鍋において、前記注口部は、前記鍋本体の上縁部から外側に向かって突出する注口先端部と、この注口先端部及び前記鍋本体と連設され前記鍋本体を傾けることでこの鍋本体に収容される収容液を前記注口先端片部へ誘導する注口誘導部とからなり、前記注口先端部は、前記注口誘導部と連設する基端部側に、前記注口誘導部を介して誘導された前記収容液をこの注口先端部の中央部寄りに誘導集約する中央が低い収容液誘導集約湾曲部が設けられ、先端部側に、この収容液誘導集約部により前記注口先端部の中央部寄りに誘導集約されて注出される収容液を上向き注出付勢する誘導途中が低い収容液上向き付勢湾曲部が設けられていることを特徴とする鍋。
【請求項２】
前記収容液誘導集約湾曲部は、前記注口先端部の幅方向に沿って下方に湾曲する湾曲形状に形成されていることを特徴とする請求項１記載の鍋。
【請求項３】
前記収容液上向き付勢湾曲部は、前記注口先端部の幅方向と交差する収容液注出方向に沿って下方に湾曲する湾曲形状に形成されていることを特徴とする請求項１，２のいずれか１項に記載の鍋。
【請求項４】
前記注口誘導部は、前記鍋本体の外側に突出して内周面に溝状に形成されると共に溝底面が外側に向かって傾斜する上がり傾斜面に形成された幅広凹条溝形状に形成され、前記注口先端部と連設し前記注口部を形成する構成とされることを特徴とする請求項１〜３のいずれか１項に記載の鍋。
【請求項５】
前記注口先端部は、前記鍋本体の上縁部から外側に突出するように前記注口誘導部の前記溝底面よりも緩やかな上がり傾斜面に形成され、前記注口誘導部と連設し前記注口部を形成する構成とされることを特徴とする請求項４記載の鍋。
【発明の詳細な説明】
【技術分野】
【０００１】
本発明は、鍋本体の上縁部に収容液を注出する注口部が設けられる鍋に関するものである。
【背景技術】
【０００２】
雪平鍋などの片手鍋には、鍋本体に収容される収容液（例えば汁や湯など）を注出し易くするための注口部が設けられているものがある。この注出口は、鍋本体の上縁部を外側に押し出し成形により鍋本体と一体形成されるものが多いが、製法上、幅広で大きめの注口部の形成は難しく、比較的小さめな形状のものが多い。そのため、この注口部を介して収容液を注出する場合でも、尻漏れが生じ、垂れ落ちた収容液で周囲を汚し鍋自体も汚してしまうことがある。
【０００３】
また、このような従来の片手鍋の注口部は、鍋本体内の収容液を注出する際、収容液が注口部の幅いっぱいに広がり外部に注出されるので、例えば、開口が小さい容器などに収容液を移し入れる場合などは、鍋本体から注出される収容液が幅広状態になって、目的の容器にきちんと注ぎ入れることができないことがある。
【発明の概要】
【発明が解決しようとする課題】
【０００４】
本発明は、このような現状に鑑みなされたものであり、注出時に尻漏れが生じにくく、また、注出される収容液が広がらず、狙った注出先に注ぎ入れることができる使い勝手の良い鍋を提供することを目的とする。
【課題を解決するための手段】
【０００５】
添付図面を参照して本発明の要旨を説明する。
【０００６】
鍋本体１の上縁部にこの上縁部が外側に押し出し成形されてなる注口部２が設けられる鍋において、前記注口部２は、前記鍋本体１の上縁部から外側に向かって突出する注口先端部３と、この注口先端部３及び前記鍋本体１と連設され前記鍋本体１を傾けることでこの鍋本体１に収容される収容液を前記注口先端片部３へ誘導する注口誘導部４とからなり、前記注口先端部３は、前記注口誘導部４と連設する基端部側に、前記注口誘導部４を介して誘導された前記収容液をこの注口先端部３の中央部寄りに誘導集約する中央が低い収容液誘導集約湾曲部５が設けられ、先端部側に、この収容液誘導集約部５により前記注口先端部３の中央部寄りに誘導集約されて注出される収容液を上向き注出付勢する誘導途中が低い収容液上向き付勢湾曲部６が設けられていることを特徴とする鍋に係るものである。
【０００７】
また、前記収容液誘導集約湾曲部５は、前記注口先端部３の幅方向に沿って下方に湾曲する湾曲形状に形成されていることを特徴とする請求項１記載の鍋に係るものである。
【０００８】
また、前記収容液上向き付勢湾曲部６は、前記注口先端部３の幅方向と交差する収容液注出方向に沿って下方に湾曲する湾曲形状に形成されていることを特徴とする請求項１，２のいずれか１項に記載の鍋に係るものである。
【０００９】
また、前記注口誘導部４は、前記鍋本体１の外側に突出して内周面に溝状に形成されると共に溝底面４Ａが外側に向かって傾斜する上がり傾斜面に形成された幅広凹条溝形状に形成され、前記注口先端部３と連設し前記注口部２を形成する構成とされることを特徴とする請求項１〜３のいずれか１項に記載の鍋に係るものである。
【００１０】
また、前記注口先端部３は、前記鍋本体１の上縁部から外側に突出するように前記注口誘導部４の前記溝底面４Ａよりも緩やかな上がり傾斜面に形成され、前記注口誘導部４と連設し前記注口部２を形成する構成とされることを特徴とする請求項４記載の鍋に係るものである。
【発明の効果】
【００１１】
本発明は上述のように構成したから、鍋本体に収容される収容液を、注口部を介して外部に注出する際に、収容液が注口部を伝って回り込む尻漏れが生じにくくなり、また、注出される収容液が広がらず、目的の注出先に注ぎ入れ易くなる使い勝手の良い鍋となる。
【図面の簡単な説明】
【００１２】
【図１】本実施例を示す斜視図である。
【図２】本実施例の鍋本体を示す平面図である。
【図３】本実施例の鍋本体を示す斜視図である。
【図４】本実施例の注口部を示す斜視図である。
【図５】本実施例の注口部を示す側面図である。
【図６】本実施例の注口部を示す正面図である。
【図７】本実施例の注口部を内側から見た図である。
【図８】本実施例の注口部を示す拡大側断面図である。
【図９】本実施例の使用状態を示す説明図である。
【図１０】本実施例の使用状態を示す説明図である。
【発明を実施するための形態】
【００１３】
好適と考える本発明の実施形態を、図面に基づいて本発明の作用を示して簡単に説明する。
【００１４】
汁、湯などの収容液が収容されている鍋本体１を、注口部２を目的の注出先に向けて傾けると、鍋本体１内の収容液が注口誘導部４に流れ込み、この注口誘導部４を介して（注口誘導部４に誘導されて）注口先端部３へ流れ込む。
【００１５】
この注口先端部３に流れ込んだ収容液は、この注口先端部３に設けられる収容液誘導集約湾曲部５によって注口先端部３の中央部よりに集約されて一本の線状流になる。
【００１６】
そして、この収容液誘導集約湾曲部５によって線状流になった収容液は、収容液上向き付勢湾曲部６により上向き注出付勢されて、線状流の状態のまま注口先端部３の先端から上方に向かって注出され、放物線を描くように注出先目掛けて注がれることとなる。
【００１７】
このように、本発明は、収容液が収容液上向き付勢湾曲部６によって注口先端部３の先端から上方に向かって注出されるので、収容液が注口部を伝って回り込む尻漏れが生じにくくなり、さらに、収容液が収容液誘導集約湾曲部５によって幅広流から一本の線状流に流動形態が変えられるので、注出される収容液が広がらず、目的の注出先に注ぎ入れ易くなる。
【実施例】
【００１８】
本発明の具体的な実施例について図面に基づいて説明する。
【００１９】
本実施例は、本発明の鍋本体１の上縁部にこの上縁部が外側に押し出し成形されてなる注口部２が設けられる鍋を片手鍋に構成した場合である。
【００２０】
具体的には、図示するように、ステンレス製の鍋本体１の上縁部に対向状態に２つの注口部２が設けられ、鍋本体１の周面に棒状の取手部７が突設される構成とされている。
【００２１】
より具体的には、注口部２は、鍋本体１の上縁部から外側に向かって突出する注口先端部３と、この注口先端部３及び鍋本体１と連設され、鍋本体１を傾けることでこの鍋本体１に収容される汁や湯などの収容液を注口先端片部３へ誘導する注口誘導部４とからなる構成とされている。
【００２２】
また、本実施例の注口部２は、鍋本体１に一体成形されるものであり、例えば鍋本体１の上縁部を、プレス機などを用いて押圧変形させて形成されている。
【００２３】
更に具体的に説明すると、本実施例の注口誘導部４は、鍋本体１の外側に突出して内周面に溝状に形成されると共に、溝底面４Ａが外側に向かって傾斜する上がり傾斜面に形成された幅広凹条溝形状に形成され、後述する注口先端部３と連設し注口部２を形成する構成とされている。
【００２４】
また、本実施例の注口先端部３は、鍋本体１の上縁部から外側に突出するように注口誘導部４の溝底面４Ａよりも緩やかな上がり傾斜面に形成され、注口誘導部４と連設し注口部２を形成する構成とされている。
【００２５】
具体的には、本実施例の注口先端部３は、例えば下唇を前方に大きく突出させたような幅広で外側に大きくせり出す形状に形成されており、その基端部側（注口誘導部４と連設する側）に注口誘導部４を介して誘導された収容液をこの注口先端部３の中央部寄りに誘導集約する中央が低い収容液誘導集約湾曲部５が設けられ、先端部側にこの収容液誘導集約部５により注口先端部３の中央部寄りに誘導集約されて注出される収容液を上向き注出付勢する誘導途中が低い収容液上向き付勢湾曲部６が設けられる構成とされている。
【００２６】
言い換えると、この注口先端部３は、注口誘導部４と連設する基端部側に、この注口先端部３の幅方向に沿って下方に湾曲する湾曲形状に形成される収容液誘導集約湾曲部５が設けられ、この収容液誘導集約湾曲部５により注口誘導部４を介して誘導された収容液を、この注口先端部３の中央部寄りに誘導集約し、先端部側に、この注口先端部３の幅方向と交差する収容液注出方向に沿って下方に湾曲する湾曲形状に形成される収容液上向き付勢湾曲部６が設けられ、この収容液上向き付勢湾曲部６により収容液誘導集約部５によって注口先端部３の中央部寄りに誘導集約されて注出される収容液を上向き注出付勢するように構成されている。
【００２７】
より具体的には、本実施例の収容液誘導集約湾曲部５は、基端部側、言い換えると注口誘導部４と連接している側が、この注口誘導部４に向かって凸となる緩やかなＲ形状（円弧状）に形成されていて、注口誘導部４を流動する収容液が収容液誘導集約湾曲部５の中央部に向かって流動し易い構成とされている。
【００２８】
また、本実施例の収容液上向き付勢湾曲部６は、注口先端部３の先端側中央部付近、言い換えると、収容液誘導集約湾曲部５によって誘導集約される収容液の流動路となる位置に設けられ、収容液誘導集約湾曲部５によって誘導集約された収容液を注口先端部３の先端部に向けて上向き注出付勢するように構成されている。
【００２９】
すなわち、本実施例の注口先端部３は、鍋本体１に収容される収容液を、この注口先端部３の中央部に向けて誘導集約させるための収容液誘導集約湾曲部５と、注出の際、収容液が放物線を描いて注出されるよう収容液に上向き注出付勢を付与する収容液上向き付勢湾曲部６の二つの湾曲部（Ｒ形状部）を有し、この二つの湾曲部により収容液が注口部２の裏側に回り込む尻漏れの発生を可及的に低減するように構成されている。
【００３０】
また、本実施例の取手部７は、人が把持する把持部７Ａが木製であり、長手方向中央部側に向かって太さが太くなる形状とされ、握りやすく、また、手になじみやすい形状に形成されている。
【００３１】
以上のように構成される本実施例の作用効果について以下に説明する。
【００３２】
汁、湯などの収容液が収容されている鍋本体１を、注口部２を目的の注出先に向けて傾けると、鍋本体１内の収容液が注口誘導部４に流れ込み、この注口誘導部４を介して、言い換えると、この注口誘導部４に誘導されて注口先端部３へ流れ込むこととなる。
【００３３】
また、この注口先端部３に流れ込んだ収容液は、この注口先端部３に設けられる収容液誘導集約湾曲部５によって注口先端部３の中央部寄りに集約されて一本の線状流になる。
【００３４】
そして、この収容液誘導集約湾曲部５によって線状流になった収容液は、収容液上向き付勢湾曲部６により上向き注出付勢されて、線状流の状態のまま注口先端部３の先端から上方に向かって注出され、放物線を描くように注出先目掛けて注がれることとなる。
【００３５】
すなわち、本実施例は、収容液が収容液上向き付勢湾曲部６によって注口先端部３の先端から上方に向かって注出されるので、注口部２から注出される収容液が放物線を描くように注出され、これにより、収容液が注口部２を伝って裏側に回り込む尻漏れが生じにくくなり、滴り落ちる収容液で鍋本体１や周囲を汚してしまう心配がなく、安心して収容液を注出することができると共に、収容液が収容液誘導集約湾曲部５によって幅広流から一本の線状流に流動形態が変えられるので、注口部２から注出される収容液を目的の注出先に注ぎ入れ易くなり、容易に移し変えができることとなる。
【００３６】
このように、本実施例は、注口部２から注出される収容液の鍋底への回り込み（尻漏れ）を防ぎ、鍋本体１や周囲を汚すことなく、狙った注出先に容易に収容液を注ぎいれることができる極めて使い勝手の良い実用性に優れた片手鍋となる。
【００３７】
尚、本発明は、本実施例に限られるものではなく、各構成要件の具体的構成は適宜設計し得るものである。
【符号の説明】
【００３８】
１  鍋本体
２  注口部
３  注口先端部
４  注口誘導部
４Ａ  溝底面
５  収容液誘導集約湾曲部
６  収容液上向き付勢湾曲部
【図１】
2019047862.tif 000003
【図２】
2019047862.tif 000004
【図３】
2019047862.tif 000005
【図４】
2019047862.tif 000006
【図５】
2019047862.tif 000007
【図６】
2019047862.tif 000008
【図７】
2019047862.tif 000009
【図８】
2019047862.tif 000010
【図９】
2019047862.tif 000011
【図１０】
2019047862.tif 000012